(57)【特許請求の範囲】
【請求項１】
扁平な発送物（３）に単数若しくは複数の印刷ステーション（８ａ）を用いて消印を印刷するための装置であって、印刷ステーションがそれぞれ少なくとも１つの印刷ヘッド（８）を有しており、発送物（３）が個別に供給装置の穿孔された搬送ベルト（４）によって印刷ステーション（８ａ）の近くを搬送され、かつ印刷ヘッド（８）の印刷面に対して平行に配置された滑子案内（１）に沿って案内されるようになっており、各印刷ステーション（８ａ）内で前記搬送ベルト（４）の後ろ側に１つの負圧装置（５）が配置されており、負圧装置によって負圧を用いて発送物に対する垂直力が発送物の供給方向に対してほぼ垂直に作用させられるようになっている形式のものにおいて、
供給装置が、穿孔された搬送ベルト（４）のほかにカバーベルト（２）を備えており、搬送ベルト（４）とカバーベルト（２）とが対を成して配置されており、搬送ベルト（４）とカバーベルト（２）との間で発送物（３）が摩擦接続によって連行されるようになっており、
負圧装置（５）、滑子案内（１）及び印刷ヘッド（８）が搬送ベルト（４）の側に配置されており、
供給装置及び該供給装置の後ろ側に配置された負圧装置（５）が、搬送方向で印刷ヘッド（８）の側方に位置しており、
負圧装置（５）の開口が搬送ベルト（４）の孔の領域に適合されていることを特徴とする扁平な発送物に消印を印刷するための装置。
【請求項２】
カバーベルト（２）が、搬送ベルトの孔を被う幅を有しており、搬送ベルト（４）の孔の閉鎖が負圧装置の前に発送物のない場合にカバーベルト（２）によって行われるようになっている請求項１記載の装置。
【請求項３】
各印刷ステーション（８ａ）の領域に滑子案内（１）が次のように配置されており、即ち発送物（３）のそれぞれ印刷すべき表面が印刷ヘッド（８）に対して所定の距離を有している請求項１又は２記載の装置。
【請求項４】
垂直力をコンスタントに保つために吸引圧力調節装置が設けられている請求項１から３のいずれか１項記載の装置。
【請求項５】
印刷ヘッド（８）としてインキジェット印刷機が設けられている請求項１から４のいずれか１項記載の装置。
【請求項６】
印刷ヘッド（８）がそれぞれ搬送方向に対して所定の角度αを成して配置されている請求項５記載の装置。
【請求項７】
各印刷ステーション（８ａ）が、搬送方向で互いに前後に配置された少なくとも２つの印刷ヘッド（８）を有しており、印刷ヘッドがそれぞれ時間的にずらして印刷を行うようになっている請求項１から６のいずれか１項記載の装置。
【請求項８】
印刷ヘッド（８）が時間的にずらして印刷を行って、単一の消印が印刷されるようになっている請求項７記載の装置。
【請求項９】
扁平な発送物に消印を印刷するための印刷装置であって、請求項１から８に基づく少なくとも２つの装置が設けられており、これらの装置の少なくとも１つが発送物のそれぞれ１つの側の印刷のために設けられていることを特徴とする、扁平な発送物に消印を印刷するための印刷装置。
【発明の詳細な説明】
本発明は、扁平な発送物に消印を印刷するための、請求項１の上位概念に記載の形式の装置に関する。
郵便切手に消印を押すために、機械的な印刷機が投入されるが、この場合しかしながら消印・レイアウトは著しく制限されている。これに対して選択的に、接触なしの印刷機構、特にインキジェット印刷機を使用することは可能であり、これによって高い印刷品質が得られ、かつ消印・レイアウトの自由な様式が可能である。このような機構の利点としては、機械的な機構に対して摩耗が小さいことである。特に、自由な様式の消印・レイアウトの可能な印刷機構の使用は、発送物の１つの側で郵便切手に消印を押しかつ同じ若しくは別の側に広告を印刷したい場合に魅力的である。このような場合には、広告文が発送物から発送物へ変えられ、従って目的地に合わせて異なる顧客の要求に応じられる。
高い印刷品質を達成するために、インキジェット印刷機においては発送物を印刷ヘッドに対して所定の間隔、例えば０．５ｍｍに近づけて案内することが必要である。このことは、発送物が印刷ヘッドの制御によって同期化された速度で供給されることを意味する。特に、発送物の供給が対を成して配置された供給ベルトを介して行われ、供給ベルト間で発送物が摩擦接続(reibschluessig)によって連行される場合には、問題があり、供給ベルトと発送物との間に速度差が生じる。速度差は、前後に配置されかつ時間的に互いにずれて印刷を行う異なる印刷ヘッドによって単一の消印を発送物に押したい場合に特に不都合に作用する。
本発明の課題は、扁平な発送物に消印を印刷するための装置を提供して、これによって印刷ヘッドに対して所定の間隔で発送物の確実かつ静かな供給を可能にすることである。
前記課題は、本発明に基づき請求項１に記載の手段によって解決される。本発明の有利な構成が従属項並びに明細書及び図面に記載してある。
図１は時間的にずれて印刷する２つの印刷ヘッドによって時間的に正確に行われた印刷及び不正確に行われた印刷の例を示す図、
図２は本発明に基づく装置の平面図、
図３は本発明に基づく装置の側面図、
図４は厚い発送物における開口時点の詳細図、及び図５は発送物に対する垂直力をコンスタントに保つための吸引圧力調節装置の実施例を示す図である。
図１は、時間的にずらして印刷する２つの印刷ヘッドによる時間的に正確及び時間的に不正確に行われた２つの印刷間の相違を示している。下方の図面は両方の印刷像の相互のずれを示している。印刷ヘッドの正確な制御においても、発送物(Sendung)と搬送のために用いられるベルトコンベヤとの間にスリップが発生した場合に、ずれが生じる。図２及び図３は本発明に基づく装置の有利な実施例を平面若しくは側面で示している。この場合、滑子案内(Kulisse)１が配置されており、対を成して配置されたカバーベルト２と穿孔された搬送ベルト４との間を供給される発送物３が印刷ヘッド８の近くを所定の間隔で案内される。印刷ステーション８ａは、この実施例に示された２つの印刷ヘッド８の他にインキ容器７並びにインキ供給系、及びクリーニングポンプを有しており、これらはしかしながら詳細には述べない。印刷ステーションは電子マガジン(Elektronikmagazin)によって制御される。有利には２つの印刷ステーションが使用されており、各印刷ステーションは１つの発送物の１つの側を印刷する。印刷開始の制御のためにライトバリア１０が投入されている。進入する発送物がライトバリアを介して印刷のための信号を生ぜしめる。この場合、まず第１の印刷ヘッドが印刷を開始する。時間的にずらされて、第２の印刷ヘッドが印刷を開始する。この場合、印刷開始は単一(einheitlich)の印刷像を形成するために互いに同調されていなければならない。印刷過程の制御は有利にはサイクル発信器(Taktgeber)を用いて同期化され、サイクル発信器が搬送ベルト４によって駆動される。第１の印刷ヘッド若しくは第２の印刷ヘッドのためのライトバリア１０の遮断がサイクルの数に変換される。印刷の開始は、所定の距離に対応する所定の数のサイクルが達せられると行われる。印刷過程自体は直接にサイクル発信器によって制御される。印刷の制御が距離に関連して行われるので、発送物がどのような速度であるか重要ではない。有利には印刷ヘッドがインキジェット印刷機(Tintenstrahldrucker)として構成されている。この場合、印刷ヘッドにおいて画素プレートがノズル１１内に配置されており、そのつど所定の数の画素が版下に形成される。
有利にはノズルの直線的な配置が用いられ、マトリックス配置若しくは別の配置も可能である。２つの印刷ヘッドを用いて単一の印刷像を印刷するために、印刷ヘッドが空間的に相応に垂直にずれして所定の角度αを成して配置されている。ライトバリア１０と印刷ヘッドのそれぞれ最初のノズルとの間隔はコンピュータに遅延として入力される。コンピュータがこの距離をサイクルに変換する。遅延の変化によって印刷ヘッドの印刷開始がそれぞれ調節できる。カバーベルト２及び搬送ベルト４がローラ１２を介して走行させられ、ローラ間に装置が配置されている。ローラ１２はカバーベルト２と穿孔された搬送ベルト４との間の拡開を閉鎖させる。
供給ベルト間、図２及び図３でカバーベルト２と搬送ベルト４との間に、摩擦係数μ及び垂直力ＦＮに関連した書簡・保持力(Brief-Haltekraft)が生じている。垂直力は通常は２つの成分から合成され、搬送ベルトの伸長に基づく垂直力ＦＮ１及びベルトの初期応力ＦＮ２である。
これにより次式が得られ：
ＦＲ＝Ｊ・μ（ＦＮ１＋ＦＮ２）
ファクタＪは摩擦面対の数を示している。Ｊ＝２。垂直力の大きさは、供給ベルトの、書簡による拡開によって規定される。拡開はベルトの伸長を生ぜしめる。付加的に、拡開に基づき生じる垂直力は両方のローラ間の間隔によっても規定されている。印刷のための装置がローラ１２間に配置されているので、ローラ間の間隔はスリップを伴った発送物案内を行うように大きくはない。
図２及び図３はほぼ印刷ヘッドの領域に配置された吸引槽５を示している。有利には吸引槽は、ローラ１２間に配置された印刷ステーション６に対して両側でローラ１２の領域内まで直線的に延びている。
吸引槽５は開口を有しており、開口が供給ベルト、カバーベルト２及び穿孔された搬送ベルト４に適合されており、発送物が負圧によって搬送ベルト４に吸着される。このことは搬送ベルト４が吸引槽にわたって走行する滑子案内に接触していることによって可能である。有利には開口は孔薄板(Lochblech)として構成されている。
発送物のできるだけ長い案内を保証するために、吸引槽は滑子案内よりも長く延びている。有利には、負圧装置、即ちほぼ吸引槽の開口がカバーベルト及び搬送ベルトに適合されており、発送物が負圧によって、穿孔されたベルトに吸着されるものの、負圧装置の前に留まって搬送ベルトの穿孔を閉鎖させるようなことはない。
負圧装置によって発送物への垂直力の増大が達成され、それというのは発送物が滑子案内上を走行する搬送ベルトによって吸着されるからである。
従って、駆動力は
ＦＲ＝Ｊ・μ・（ＦＮ１＋ＦＮ２＋ＦＳ）、
この場合、ＦＳは負圧によって生ぜしめられる垂直力を表している。付加的な垂直力の大きさは、供給ベルトだけで得られる力よりも少なくとも１０倍大きい。
図４には、ここでは穿孔された搬送ベルトとカバーベルト２との間に比較的厚い発送物を締め込んだ状態が示されている。正確な運転に際して、発送物及びカバーベルト２によって閉鎖される。しかしながら厚い発送物が供給ベルト間に挟み込まれると、該発送物の前後には楔形開口(Oeffnungskeil)１８が生じる。この場合、カバーベルト２が楔形開口１８を閉鎖できず、従って搬送ベルトＦ４の孔が覆われず、これによって圧力を低下させることになる漏れが生じる。
図５は、吸引室へ接続するための吸引圧力調節装置を概略的に示している。ポンプ２０において負圧を形成し、負圧が負圧弁２１によってコンスタントに保たれる。所定の負圧が達成されている場合には、負圧弁が開き、空気がバイパス２２を介して吸引される。負圧がコンスタントに維持される。漏れによって圧力が崩壊すると、バイパス２２が閉じられる。大きな容積流が供給されるので、わずかな圧力変動しか生じない。
一様に良好な印刷質を達成するために、既に述べた供給ベルトに対して付加的に丸ベルト(Rundriemen)９が設けられて、発送物が下側の部分で付加的に滑子案内１に押し付けられる。このことは、図３に示すように供給ベルト２，４が印刷ヘッドの上に位置している場合に有効である。丸ベルト９によって発送物の付加的な安定及び高い印刷質が達成される。有利には丸ベルト９が搬送ベルト４と連結されている。
【図１】
0003775511.tif 000002
【図２】
0003775511.tif 000003
【図３】
0003775511.tif 000004
【図４】
0003775511.tif 000005
【図５】
0003775511.tif 000006